(57)【要約】【課題】巻線の三倍電圧切替えが簡単で且つ省スペースで行うことができる回転電機を提供する。【解決手段】巻線３１〜３９を並列接続から直列接続へ変更することにより、並列接続のときの電圧の三倍の電圧を入力可能とする回転電機であって、複数の端子を有する端子台１０と、複数の端子を有し、端子台１０と並列に配置された端子台２０と、端子同士を接続して、巻線３１〜３９を並列接続から直列接続へ変更する複数のジャンパ線Ｊ１〜Ｊ１０とを備え、巻線３１〜３９は、端子台１０の端子では端子台２０とは反対側に接続され、端子台２０の端子では端子台１０とは反対側に接続され、ジャンパ線Ｊ１〜Ｊ１０は、端子台１０の端子では端子台２０側に接続され、端子台２０の端子では端子台１０側に接続される。【選択図】図１Ａ
2019126175.tif 000002
【特許請求の範囲】
【請求項１】
入力される三相電源の相毎に３の倍数の巻線を有し、前記巻線を相毎に並列接続から直列接続へ変更することにより、前記並列接続のときの電圧の三倍の電圧を入力可能とする回転電機であって、
複数の端子を有する第１の端子台と、
複数の端子を有し、前記第１の端子台と並列に配置された第２の端子台と、
前記端子同士を接続して、前記巻線を相毎に並列接続から直列接続へ変更する複数のジャンパ線とを備え、
前記巻線は、前記第１の端子台の前記端子では前記第２の端子台とは反対側に接続され、前記第２の端子台の前記端子では前記第１の端子台とは反対側に接続され、
前記ジャンパ線は、前記第１の端子台の前記端子では前記第２の端子台側に接続され、前記第２の端子台の前記端子では前記第１の端子台側に接続される
ことを特徴とする回転電機。
【請求項２】
請求項１に記載の回転電機において、
前記巻線は、前記直列接続のときに同じ前記ジャンパ線で接続される前記端子が同じ端子台となるように、前記端子に接続されている
ことを特徴とする回転電機。
【請求項３】
請求項２に記載の回転電機において、
前記巻線は、前記並列接続のときに同じ前記ジャンパ線で接続される前記第１の端子台の前記端子と前記第２の端子台の前記端子とが向かい合うように、前記端子に接続されている
ことを特徴とする回転電機。
【請求項４】
請求項１から請求項３のいずれか１つに記載の回転電機において、
前記第１の端子台は、当該回転電機の筐体の外周上の直結側又は反直結側の一方に配置され、
前記第２の端子台は、当該回転電機の筐体の外周上の直結側又は反直結側の他方に配置される
ことを特徴とする回転電機。
【請求項５】
請求項４に記載の回転電機において、
前記第１の端子台の前記端子に接続する前記巻線は、当該回転電機の直結側又は反直結側の一方から取り出され、
前記第２の端子台の前記端子に接続する前記巻線は、当該回転電機の直結側又は反直結側の他方から取り出される
ことを特徴とする回転電機。
【発明の詳細な説明】
【技術分野】
【０００１】
本発明は、巻線の電圧切替えが可能な回転電機に関する。
【背景技術】
【０００２】
巻線の電圧切替えが可能な回転電機が知られており、モータリード線の結線を変更することで、巻線の電圧を、低電圧から高電圧へ、又は、高電圧から低電圧へ切替えることができる。
【先行技術文献】
【特許文献】
【０００３】
【特許文献１】特許第５３３４１６７号公報
【発明の概要】
【発明が解決しようとする課題】
【０００４】
まず、図２Ａ及び図２Ｂを参照して、低電圧結線から二倍電圧結線への切替えを説明する。ここで、図２Ａは、回転電機の低電圧結線の巻線接続図であり、図２Ｂは、回転電機の二倍電圧結線の巻線接続図である。なお、図２Ａ及び図２Ｂでは、巻線接続図のみ示し、回転電機自体の図示は省略するが、回転電機としては、ロータに永久磁石を有し、ステータに巻線を有する永久磁石型の回転電機が前提となる。また、低電圧とは、図２Ａに示す並列接続のときに入力可能な電圧であり、二倍電圧とは、図２Ｂに示す直列接続のときに入力可能な電圧であって、並列接続のときの電圧の二倍の電圧である。
【０００５】
図２Ａ及び図２Ｂに示す回転電機は、入力される三相電源の相毎に２つの巻線を有しており、Ｕ相の巻線として、Ｕ１巻線３１、Ｕ２巻線３４を有し、Ｖ相の巻線として、Ｖ１巻線３２、Ｖ２巻線３５を有し、Ｗ相の巻線として、Ｗ１巻線３３、Ｗ２巻線３６を有している。Ｕ１巻線３１において、その巻き始め側にはＵ１端子が設けられており、その巻き終わり側にはＸ１端子が設けられている。同様に、Ｖ１巻線３２においては、Ｖ１端子及びＹ１端子が設けられ、Ｗ１巻線３３においては、Ｗ１端子及びＺ１端子が設けられ、Ｕ２巻線３４においては、Ｕ２端子及びＸ２端子が設けられ、Ｖ２巻線３５においては、Ｖ２端子及びＹ２端子が設けられ、Ｗ２巻線３６においては、Ｗ２端子及びＺ２端子が設けられている。
【０００６】
図２Ａに示す低電圧結線においては、Ｕ相電源線ＣＵが、モータリード線ＬＵ１を介して、Ｕ１端子と接続され、モータリード線ＬＵ２を介して、Ｕ２端子と接続されている。また、Ｖ相電源線ＣＶが、モータリード線ＬＶ１を介して、Ｖ１端子と接続され、モータリード線ＬＶ２を介して、Ｖ２端子と接続されている。また、Ｗ相電源線ＣＷが、モータリード線ＬＷ１を介して、Ｗ１端子と接続され、モータリード線ＬＷ２を介して、Ｗ２端子と接続されている。Ｘ１端子、Ｙ１端子及びＺ１端子は、各々、モータリード線ＬＸ１、ＬＹ１、ＬＺ１で中性点Ｎ１に接続され、また、Ｘ２端子、Ｙ２端子及びＺ２端子は、各々、モータリード線ＬＸ２、ＬＹ２、ＬＺ２で中性点Ｎ２に接続されている。つまり、Ｕ１巻線３１とＵ２巻線３４が互いに並列に、また、Ｖ１巻線３２とＶ２巻線３５が互いに並列に、また、Ｗ１巻線３３とＷ２巻線３６が互いに並列に接続されている結線が低電圧結線である。
【０００７】
一方、図２Ｂに示す二倍電圧結線においては、Ｕ相電源線ＣＵが、モータリード線ＬＵ１を介して、Ｕ１端子と接続され、また、Ｖ相電源線ＣＶが、モータリード線ＬＶ１を介して、Ｖ１端子と接続され、また、Ｗ相電源線ＣＷが、モータリード線ＬＷ１を介して、Ｗ１端子と接続されている。Ｘ１端子は、直列に接続したモータリード線ＬＸ１、ＬＵ２を介して、Ｕ２端子と接続され、また、Ｙ１端子は、直列に接続したモータリード線ＬＹ１、ＬＶ２を介して、Ｖ２端子と接続され、また、Ｚ１端子は、直列に接続したモータリード線ＬＺ１、ＬＷ２を介して、Ｗ２端子と接続されている。Ｘ２端子、Ｙ２端子及びＺ２端子は、各々、モータリード線ＬＸ２、ＬＹ２、ＬＺ２で中性点Ｎ２に接続されている。つまり、Ｕ１巻線３１とＵ２巻線３４が直列に、また、Ｖ１巻線３２とＶ２巻線３５が直列に、また、Ｗ１巻線３３とＷ２巻線３６が直列に接続されている結線が二倍電圧結線である。
【０００８】
そして、図２Ａに示す低電圧結線から図２Ｂに示す二倍電圧結線への切替えは、つまり、巻線３１〜３６を相毎に並列接続から直列接続へ変更することは、９本のモータリード線ＬＵ１、ＬＶ１、ＬＷ１、ＬＵ２、ＬＶ２、ＬＷ２、ＬＸ１、ＬＹ１、ＬＺ１の切替えで行うことができ、結線は比較的簡単である。図２Ｂに示す二倍電圧結線から図２Ａに示す低電圧結線への切替えも同様である。
【０００９】
次に、図３Ａ及び図３Ｂを参照して、低電圧結線から三倍電圧結線への切替えを説明する。ここで、図３Ａは、回転電機の低電圧結線の巻線接続図であり、図３Ｂは、回転電機の三倍電圧結線の巻線接続図である。なお、図３Ａ及び図３Ｂでも、巻線接続図のみ示し、回転電機自体の図示は省略するが、ここでも、回転電機としては、ロータに永久磁石を有し、ステータに巻線を有する永久磁石型の回転電機が前提となる。また、低電圧とは、図３Ａに示す並列接続のときに入力可能な電圧であり、三倍電圧とは、図３Ｂに示す直列接続のときに入力可能な電圧であって、並列接続のときの電圧の三倍の電圧である。
【００１０】
図３Ａ及び図３Ｂに示す回転電機は、入力される三相電源の相毎に３つの巻線を有しており、Ｕ相の巻線として、Ｕ１巻線３１、Ｕ２巻線３４、Ｕ３巻線３７を有し、Ｖ相の巻線として、Ｖ１巻線３２、Ｖ２巻線３５、Ｖ３巻線３８を有し、Ｗ相の巻線として、Ｗ１巻線３３、Ｗ２巻線３６、Ｗ３巻線３９を有している。Ｕ１巻線３１において、その巻き始め側にはＵ１端子が設けられており、その巻き終わり側にはＸ１端子が設けられている。同様に、Ｖ１巻線３２においては、Ｖ１端子及びＹ１端子が設けられ、Ｗ１巻線３３においては、Ｗ１端子及びＺ１端子が設けられ、Ｕ２巻線３４においては、Ｕ２端子及びＸ２端子が設けられ、Ｖ２巻線３５においては、Ｖ２端子及びＹ２端子が設けられ、Ｗ２巻線３６においては、Ｗ２端子及びＺ２端子が設けられ、Ｕ３巻線３７においては、Ｕ３端子及びＸ３端子が設けられ、Ｖ３巻線３８においては、Ｖ３端子及びＹ３端子が設けられ、Ｗ３巻線３９においては、Ｗ３端子及びＺ３端子が設けられている。
【００１１】
図３Ａに示す低電圧結線においては、Ｕ相電源線ＣＵが、モータリード線ＬＵ１を介して、Ｕ１端子と接続され、モータリード線ＬＵ２を介して、Ｕ２端子と接続され、モータリード線ＬＵ３を介して、Ｕ３端子と接続されている。また、Ｖ相電源線ＣＶが、モータリード線ＬＶ１を介して、Ｖ１端子と接続され、モータリード線ＬＶ２を介して、Ｖ２端子と接続され、モータリード線ＬＶ３を介して、Ｖ３端子と接続されている。また、Ｗ相電源線ＣＷが、モータリード線ＬＷ１を介して、Ｗ１端子と接続され、モータリード線ＬＷ２を介して、Ｗ２端子と接続され、モータリード線ＬＷ３を介して、Ｗ３端子と接続されている。Ｘ１端子、Ｙ１端子及びＺ１端子は、各々、モータリード線ＬＸ１、ＬＹ１、ＬＺ１で中性点Ｎ１に接続され、また、Ｘ２端子、Ｙ２端子及びＺ２端子は、各々、モータリード線ＬＸ２、ＬＹ２、ＬＺ２で中性点Ｎ２に接続され、また、Ｘ３端子、Ｙ３端子及びＺ３端子は、各々、モータリード線ＬＸ３、ＬＹ３、ＬＺ３で中性点Ｎ３に接続されている。つまり、Ｕ１巻線３１とＵ２巻線３４とＵ３巻線３７が互いに並列に、また、Ｖ１巻線３２とＶ２巻線３５とＶ３巻線３８が互いに並列に、また、Ｗ１巻線３３とＷ２巻線３６とＷ３巻線３９が互いに並列に接続されている結線が低電圧結線である。
【００１２】
一方、図３Ｂに示す三倍電圧結線においては、Ｕ相電源線ＣＵが、モータリード線ＬＵ１を介して、Ｕ１端子と接続され、また、Ｖ相電源線ＣＶが、モータリード線ＬＶ１を介して、Ｖ１端子と接続され、また、Ｗ相電源線ＣＷが、モータリード線ＬＷ１を介して、Ｗ１端子と接続されている。Ｘ１端子は、直列に接続したモータリード線ＬＸ１、ＬＵ２を介して、Ｕ２端子と接続され、また、Ｙ１端子は、直列に接続したモータリード線ＬＹ１、ＬＶ２を介して、Ｖ２端子と接続され、また、Ｚ１端子は、直列に接続したモータリード線ＬＺ１、ＬＷ２を介して、Ｗ２端子と接続されている。Ｘ２端子は、直列に接続したモータリード線ＬＸ２、ＬＵ３を介して、Ｕ３端子と接続され、また、Ｙ２端子は、直列に接続したモータリード線ＬＹ２、ＬＶ３を介して、Ｖ３端子と接続され、また、Ｚ２端子は、直列に接続したモータリード線ＬＺ２、ＬＷ３を介して、Ｗ３端子と接続されている。Ｘ３端子、Ｙ３端子及びＺ３端子は、各々、モータリード線ＬＸ３、ＬＹ３、ＬＺ３で中性点Ｎ３に接続されている。つまり、Ｕ１巻線３１とＵ２巻線３４とＵ３巻線３７が直列に、また、Ｖ１巻線３２とＶ２巻線３５とＶ３巻線３８が直列に、また、Ｗ１巻線３３とＷ２巻線３６とＷ３巻線３９が直列に接続されている結線が三倍電圧結線である。
【００１３】
そして、図３Ａに示す低電圧結線から図３Ｂに示す三倍電圧結線への切替えは、つまり、巻線３１〜３９を相毎に並列接続から直列接続へ変更することは、１５本のモータリード線ＬＵ１、ＬＶ１、ＬＷ１、ＬＵ２、ＬＶ２、ＬＷ２、ＬＵ３、ＬＶ３、ＬＷ３、ＬＸ１、ＬＹ１、ＬＺ１、ＬＸ２、ＬＹ２、ＬＺ２の切替えで行うことができるが、図２Ａ及び図２Ｂに示した低電圧結線から二倍電圧結線への切替えと比較して、結線が複雑であり、切替え結線用のスペースも必要となってくる。図３Ｂに示す三倍電圧結線から図３Ａに示す低電圧結線への切替えも同様である。
【００１４】
本発明は上記課題に鑑みなされたもので、巻線の三倍電圧切替えが簡単で且つ省スペースで行うことができる回転電機を提供することを目的とする。
【課題を解決するための手段】
【００１５】
上記課題を解決する第１の発明に係る回転電機は、
入力される三相電源の相毎に３の倍数の巻線を有し、前記巻線を相毎に並列接続から直列接続へ変更することにより、前記並列接続のときの電圧の三倍の電圧を入力可能とする回転電機であって、
複数の端子を有する第１の端子台と、
複数の端子を有し、前記第１の端子台と並列に配置された第２の端子台と、
前記端子同士を接続して、前記巻線を相毎に並列接続から直列接続へ変更する複数のジャンパ線とを備え、
前記巻線は、前記第１の端子台の前記端子では前記第２の端子台とは反対側に接続され、前記第２の端子台の前記端子では前記第１の端子台とは反対側に接続され、
前記ジャンパ線は、前記第１の端子台の前記端子では前記第２の端子台側に接続され、前記第２の端子台の前記端子では前記第１の端子台側に接続される
ことを特徴とする。
【００１６】
上記課題を解決する第２の発明に係る回転電機は、
上記第１の発明に記載の回転電機において、
前記巻線は、前記直列接続のときに同じ前記ジャンパ線で接続される前記端子が同じ端子台となるように、前記端子に接続されている
ことを特徴とする。
【００１７】
上記課題を解決する第３の発明に係る回転電機は、
上記第２の発明に記載の回転電機において、
前記巻線は、前記並列接続のときに同じ前記ジャンパ線で接続される前記第１の端子台の前記端子と前記第２の端子台の前記端子とが向かい合うように、前記端子に接続されている
ことを特徴とする。
【００１８】
上記課題を解決する第４の発明に係る回転電機は、
上記第１〜第３のいずれか１つの発明に記載の回転電機において、
前記第１の端子台は、当該回転電機の筐体の外周上の直結側又は反直結側の一方に配置され、
前記第２の端子台は、当該回転電機の筐体の外周上の直結側又は反直結側の他方に配置される
ことを特徴とする。
【００１９】
上記課題を解決する第５の発明に係る回転電機は、
上記第４の発明に記載の回転電機において、
前記第１の端子台の前記端子に接続する前記巻線は、当該回転電機の直結側又は反直結側の一方から取り出され、
前記第２の端子台の前記端子に接続する前記巻線は、当該回転電機の直結側又は反直結側の他方から取り出される
ことを特徴とする。
【発明の効果】
【００２０】
本発明によれば、巻線の三倍電圧切替えが簡単で且つ省スペースで行うことができる回転電機を提供することができる。
【図面の簡単な説明】
【００２１】
【図１Ａ】本発明に係る回転電機における低電圧結線での巻線接続図である。
【図１Ｂ】本発明に係る回転電機における三倍電圧結線での巻線接続図である。
【図２Ａ】回転電機の低電圧結線の巻線接続図である。
【図２Ｂ】回転電機の二倍電圧結線の巻線接続図である。
【図３Ａ】回転電機の低電圧結線の巻線接続図である。
【図３Ｂ】回転電機の三倍電圧結線の巻線接続図である。
【発明を実施するための形態】
【００２２】
以下、本発明に係る回転電機について、図面を参照して、その実施形態を説明する。
【００２３】
［実施例１］
図１Ａは、本実施例の回転電機の低電圧結線の巻線接続図であり、図１Ｂは、本実施例の回転電機の三倍電圧結線の巻線接続図である。図１Ａ及び図１Ｂを参照して、低電圧結線から三倍電圧結線への切替えを説明する。なお、図１Ａ及び図１Ｂでも、巻線接続図のみ示し、回転電機自体の図示は省略するが、ここでも、回転電機としては、ロータに永久磁石を有し、ステータに巻線を有する永久磁石型の回転電機が前提となる。また、低電圧とは、図１Ａに示す並列接続のときに入力可能な電圧であり、三倍電圧とは、図１Ｂに示す直列接続のときに入力可能な電圧であって、並列接続のときの電圧の三倍の電圧である。
【００２４】
本実施例の回転電機は、図３Ａ及び図３Ｂでも説明したように、入力される三相電源の相毎に３つの巻線を有しており、Ｕ相の巻線として、Ｕ１巻線３１、Ｕ２巻線３４、Ｕ３巻線３７を有し、Ｖ相の巻線として、Ｖ１巻線３２、Ｖ２巻線３５、Ｖ３巻線３８を有し、Ｗ相の巻線として、Ｗ１巻線３３、Ｗ２巻線３６、Ｗ３巻線３９を有している。なお、ここでは、相毎に３つの巻線を有する構成としているが、相毎に３の倍数の巻線を有する構成でも良い。
【００２５】
また、Ｕ１巻線３１においては、Ｕ１端子及びＸ１端子が設けられ、Ｖ１巻線３２においては、Ｖ１端子及びＹ１端子が設けられ、Ｗ１巻線３３においては、Ｗ１端子及びＺ１端子が設けられ、Ｕ２巻線３４においては、Ｕ２端子及びＸ２端子が設けられ、Ｖ２巻線３５においては、Ｖ２端子及びＹ２端子が設けられ、Ｗ２巻線３６においては、Ｗ２端子及びＺ２端子が設けられ、Ｕ３巻線３７においては、Ｕ３端子及びＸ３端子が設けられ、Ｖ３巻線３８においては、Ｖ３端子及びＹ３端子が設けられ、Ｗ３巻線３９においては、Ｗ３端子及びＺ３端子が設けられている。
【００２６】
そして、本実施例の回転電機には、複数の端子を有する端子台１０（第１の端子台）と、複数の端子を有し、端子台１０と並列に配置された端子台２０（第２の端子台）と、２つの端子台１０、２０の端子同士を接続して、巻線３１〜３９を相毎に並列接続から直列接続へ変更する複数のジャンパ線Ｊ１〜Ｊ１０とを設けている。なお、端子台１０と端子台２０が並列に配置されていれば、端子台１０及び端子台２０は、少なくとも一方又は両方の端子台が複数に分割されている（複数の端子台からなる）構成でも良い。
【００２７】
端子台１０は、Ｕ１端子、Ｖ１端子、Ｗ１端子、Ｕ２端子、Ｖ２端子、Ｗ２端子、Ｘ１端子、Ｙ１端子、Ｚ１端子を有し、この順に一列に配置されている。また、端子台２０は、Ｕ３端子、Ｖ３端子、Ｗ３端子、Ｘ２端子、Ｙ２端子、Ｚ２端子を有し、この順に一列に配置されている。そして、端子台１０と端子台２０は、Ｕ２端子とＵ３端子、Ｖ２端子とＶ３端子、Ｗ２端子とＷ３端子、Ｘ１端子とＸ２端子、Ｙ１端子とＹ２端子、Ｚ１端子とＺ２端子が、互いに対面するように、二列に平行に並べて配置されている。なお、以降において、端子台１０の端子台２０側及び端子台２０の端子台１０側を「内側」と呼び、端子台１０の端子台２０とは反対側及び端子台２０の端子台１０とは反対側を「外側」と呼ぶ。
【００２８】
端子台１０において、Ｕ１端子の外側には、Ｕ１巻線３１の一端が接続され、Ｖ１端子の外側には、Ｖ１巻線３２の一端が接続され、Ｗ１端子の外側には、Ｗ１巻線３３の一端が接続され、Ｕ２端子の外側には、Ｕ２巻線３４の一端が接続され、Ｖ２端子の外側には、Ｖ２巻線３５の一端が接続され、Ｗ２端子の外側には、Ｗ２巻線３６の一端が接続され、Ｘ１端子の外側には、Ｕ１巻線３１の他端が接続され、Ｙ１端子の外側には、Ｖ１巻線３２の他端が接続され、Ｚ１端子の外側には、Ｗ１巻線３３の他端が接続される。
【００２９】
また、端子台２０において、Ｕ３端子の外側には、Ｕ３巻線３７の一端が接続され、Ｖ３端子の外側には、Ｖ３巻線３８の一端が接続され、Ｗ３端子の外側には、Ｗ３巻線３９の一端が接続され、Ｘ２端子の外側には、Ｕ２巻線３４の他端が接続され、Ｙ２端子の外側には、Ｖ２巻線３５の他端が接続され、Ｚ２端子の外側には、Ｗ２巻線３６の他端が接続される。なお、ここでは図示を省略しているが、Ｘ３端子、Ｙ３端子及びＺ３端子は、端子台１０、２０ではなく、回転電機の内部に配置されており、図３Ａ及び図３Ｂでも説明したように、各々、モータリード線ＬＸ３、ＬＹ３、ＬＺ３で中性点Ｎ３に接続されている。
【００３０】
そして、図１Ａに示す低電圧結線においては、Ｕ相電源線ＣＵ、Ｖ相電源線ＣＶ、Ｗ相電源線ＣＷ、ジャンパ線Ｊ１〜Ｊ１０を、以下のような接続としている。
【００３１】
具体的には、まず、Ｕ相電源線ＣＵがＵ１端子の内側に接続され、Ｖ相電源線ＣＶがＶ１端子の内側に接続され、Ｗ相電源線ＣＷがＷ１端子の内側に接続されている。また、ジャンパ線Ｊ１がＵ１端子の内側とＵ２端子の内側に接続され、ジャンパ線Ｊ２がＶ１端子の内側とＶ２端子の内側に接続され、ジャンパ線Ｊ３がＷ１端子の内側とＷ２端子の内側に接続されている。また、ジャンパ線Ｊ４がＵ２端子の内側とＵ３端子の内側に接続され、ジャンパ線Ｊ５がＶ２端子の内側とＶ３端子の内側に接続され、ジャンパ線Ｊ６がＷ２端子の内側とＷ３端子の内側に接続されている。
【００３２】
つまり、Ｕ相電源線ＣＵは、Ｕ１端子に接続されると共に、ジャンパ線Ｊ１及びＪ４を介して、Ｕ２端子とＵ３端子に接続される。同様に、Ｖ相電源線ＣＶは、Ｖ１端子に接続されると共に、ジャンパ線Ｊ２及びＪ５を介して、Ｖ２端子とＶ３端子に接続され、また、Ｗ相電源線ＣＷは、Ｗ１端子に接続されると共に、ジャンパ線Ｊ３及びＪ６を介して、Ｗ２端子とＷ３端子に接続される。
【００３３】
また、ジャンパ線Ｊ７がＸ１端子の内側とＹ１端子の内側に接続され、ジャンパ線Ｊ８がＹ１端子の内側とＺ１端子の内側に接続されている。また、ジャンパ線Ｊ９がＸ２端子の内側とＹ２端子の内側に接続され、ジャンパ線Ｊ１０がＹ２端子の内側とＺ２端子の内側に接続されている。
【００３４】
つまり、ジャンパ線Ｊ７及びＪ８を介して、Ｘ１端子、Ｙ１端子及びＺ１端子が互いに接続されており、また、ジャンパ線Ｊ９及びＪ１０を介して、Ｘ２端子、Ｙ２端子及びＺ２端子が互いに接続されている。
【００３５】
以上のような結線により、電気的接続構成としては、Ｕ１巻線３１とＵ２巻線３４とＵ３巻線３７が互いに並列に、また、Ｖ１巻線３２とＶ２巻線３５とＶ３巻線３８が互いに並列に、また、Ｗ１巻線３３とＷ２巻線３６とＷ３巻線３９が互いに並列に接続された低電圧結線となる。
【００３６】
図１Ａに示す低電圧結線においては、同じジャンパ線Ｊ４で接続されるＵ２端子とＵ３端子とが向かい合うように、また、同じジャンパ線Ｊ５で接続されるＶ２端子とＶ３端子とが向かい合うように、そして、同じジャンパ線Ｊ６で接続されるＷ２端子とＷ３端子とが向かい合うように、巻線３４〜３９がそれぞれの端子に接続されている。
【００３７】
一方、図１Ｂに示す三倍電圧結線においては、Ｕ相電源線ＣＵ、Ｖ相電源線ＣＶ、Ｗ相電源線ＣＷの接続は同じであるが、ジャンパ線Ｊ１〜Ｊ６を、以下のような接続としている。なお、図１Ｂに示す三倍電圧結線では、ジャンパ線Ｊ７〜Ｊ１０は不要となる。
【００３８】
具体的には、ジャンパ線Ｊ１がＵ２端子の内側とＸ１端子の内側に接続され、ジャンパ線Ｊ２がＶ２端子の内側とＹ１端子の内側に接続され、ジャンパ線Ｊ３がＷ２端子の内側とＺ１端子の内側に接続されている。また、ジャンパ線Ｊ４がＵ３端子の内側とＸ２端子の内側に接続され、ジャンパ線Ｊ５がＶ３端子の内側とＹ２端子の内側に接続され、ジャンパ線Ｊ６がＷ３端子の内側とＺ２端子の内側に接続されている。
【００３９】
つまり、Ｕ相電源線ＣＵは、Ｕ１端子に接続され、Ｕ１端子とＵ１巻線３１で接続されたＸ１端子は、ジャンパ線Ｊ１を介して、Ｕ２端子に接続され、Ｕ２端子とＵ２巻線３４で接続されたＸ２端子は、ジャンパ線Ｊ４を介して、Ｕ３端子に接続される。そして、図示を省略しているが、Ｕ３端子とＵ３巻線３７で接続されたＸ３端子は、モータリード線ＬＸ３で中性点Ｎ３に接続されている。同様に、Ｖ相電源線ＣＶは、Ｖ１端子に接続され、Ｖ１端子とＶ１巻線３２で接続されたＹ１端子は、ジャンパ線Ｊ２を介して、Ｖ２端子に接続され、Ｖ２端子とＶ２巻線３５で接続されたＹ２端子は、ジャンパ線Ｊ５を介して、Ｖ３端子に接続され、そして、図示を省略しているが、Ｖ３端子とＶ３巻線３８で接続されたＹ３端子は、モータリード線ＬＹ３で中性点Ｎ３に接続されている。また、Ｗ相電源線ＣＷは、Ｗ１端子に接続され、Ｗ１端子とＷ１巻線３３で接続されたＺ１端子は、ジャンパ線Ｊ３を介して、Ｗ２端子に接続され、Ｗ２端子とＷ２巻線３６で接続されたＺ２端子は、ジャンパ線Ｊ６を介して、Ｗ３端子に接続され、そして、図示を省略しているが、Ｗ３端子とＷ３巻線３９で接続されたＺ３端子は、モータリード線ＬＺ３で中性点Ｎ３に接続されている。
【００４０】
以上のような結線により、電気的接続構成としては、Ｕ１巻線３１とＵ２巻線３４とＵ３巻線３７が直列に、また、Ｖ１巻線３２とＶ２巻線３５とＶ３巻線３８が直列に、また、Ｗ１巻線３３とＷ２巻線３６とＷ３巻線３９が直列に接続された三倍電圧結線となる。
【００４１】
図１Ｂに示す三倍電圧結線においては、同じジャンパ線Ｊ１で接続されるＵ２端子とＸ１端子が同じ端子台１０となるように、同じジャンパ線Ｊ２で接続されるＶ２端子とＹ１端子が同じ端子台１０となるように、同じジャンパ線Ｊ３で接続されるＷ２端子とＺ１端子が同じ端子台１０となるように、巻線３１〜３６がそれぞれの端子に接続されている。また、同じジャンパ線Ｊ４で接続されるＵ３端子とＸ２端子が同じ端子台２０となるように、同じジャンパ線Ｊ５で接続されるＶ３端子とＹ２端子が同じ端子台２０となるように、同じジャンパ線Ｊ６で接続されるＷ３端子とＺ２端子が同じ端子台２０となるように、巻線３４〜３９がそれぞれの端子に接続されている。
【００４２】
そして、低電圧から三倍電圧への切替えの際には、ジャンパ線Ｊ１においては、Ｕ２端子への接続は変更せず、Ｕ１端子への接続をＸ１端子への接続に変更すれば良い。同様に、ジャンパ線Ｊ２においては、Ｖ２端子への接続は変更せず、Ｖ１端子への接続をＹ１端子への接続に変更すれば良く、また、ジャンパ線Ｊ３においては、Ｗ２端子への接続は変更せず、Ｗ１端子への接続をＺ１端子への接続に変更すれば良い。また、ジャンパ線Ｊ４においては、Ｕ３端子への接続は変更せず、Ｕ２端子への接続をＸ２端子への接続に変更すれば良く、また、ジャンパ線Ｊ５においては、Ｖ３端子への接続は変更せず、Ｖ２端子への接続をＹ２端子への接続に変更すれば良く、また、ジャンパ線Ｊ６においては、Ｗ３端子への接続は変更せず、Ｗ２端子への接続をＺ２端子への接続に変更すれば良い。この際、ジャンパ線Ｊ７〜Ｊ１０は不要となる。
【００４３】
つまり、図１Ａに示すジャンパ線Ｊ１〜Ｊ１０の接続を、図１Ｂに示すジャンパ線Ｊ１〜Ｊ６の接続に変更して、巻線３１〜３９を相毎に並列接続から直列接続へ変更することにより、低電圧から三倍電圧へ切替えることができる。ジャンパ線Ｊ１〜Ｊ６への接続変更は極めて簡単であり、接続変更に使用するスペースも端子台１０と端子台２０の間のスペースで済み、省スペースとなる。また、接続変更に使用するスペースが端子台１０と端子台２０の間のスペースで済むので、ジャンパ線Ｊ１〜Ｊ１０の長さも短くすることができる。これらのことは、三倍電圧から低電圧へ切替える場合も同様である。
【００４４】
以上説明したように、端子台１０、２０の外側に巻線３１〜３９を接続し、端子台１０、２０の内側にジャンパ線Ｊ１〜Ｊ１０又はＪ１〜Ｊ６を接続することで、簡単且つ省スペースで、低電圧から三倍電圧へ、又は、三倍電圧から低電圧へ切替えることができる。
【００４５】
なお、端子台１０を回転電機の筐体の外周上の直結側又は反直結側の一方に配置し、端子台２０を回転電機の筐体の外周上の直結側又は反直結側の他方に配置して、回転電機の軸方向において、互いに向き合って配置することが望ましい。
【００４６】
端子台１０を直結側に配置し、端子台２０を反直結側に配置した場合には、端子台１０に接続する巻線のモータリード線は回転電機の直結側の端部から取り出され、端子台２０に接続する巻線のモータリード線は回転電機の反直結側の端部から取り出される。一方、端子台１０を反直結側に配置し、端子台２０が直結側に配置する場合には、端子台１０に接続する巻線のモータリード線は回転電機の反直結側の端部から取り出され、端子台２０に接続する巻線のモータリード線は回転電機の直結側の端部から取り出される。端子台１０や端子台２０に接続する巻線のモータリード線全てを回転電機の一方の端部（直結側又は反直結側）から取り出す場合には、取り出すモータリード線が占めるスペースが大きくなり、回転電機のサイズを大きくする必要があるが、上述した取り出し構成とすることで、回転電機のサイズを大きくする必要はなくなる。
【産業上の利用可能性】
【００４７】
本発明は、巻線の三倍電圧切替えが可能な回転電機として好適なものである。
【符号の説明】
【００４８】
１０、２０  端子台
３１〜３９  巻線
Ｊ１〜Ｊ１０  ジャンパ線
【図１Ａ】
2019126175.tif 000003
【図１Ｂ】
2019126175.tif 000004
【図２Ａ】
2019126175.tif 000005
【図２Ｂ】
2019126175.tif 000006
【図３Ａ】
2019126175.tif 000007
【図３Ｂ】
2019126175.tif 000008